Podtech/llm-jp-corpus-v4-ja_patent huggingface dataset:
(57)【要約】【課題】タオル地に冷感機能を持たせた省エネや真夏のスポーツなど猛暑に対応できる冷感タオル地を提供することを課題とする。【解決手段】よこ糸と地たて糸とパイルたて糸からなり、片面パイル組織もしくは両面パイル組織で織成されたタオル地であり、前記パイルたて糸の少なくとも一部が超高分子量ポリエチレン繊維からなることを特徴とする冷感タオル地。【選択図】図１
0003175126.tif 000002
【実用新案登録請求の範囲】
【請求項１】
よこ糸と地たて糸とパイルたて糸からなり、片面パイル組織もしくは両面パイル組織で織成されたタオル地であり、前記パイルたて糸の少なくとも一部が超高分子量ポリエチレン繊維からなることを特徴とする冷感タオル地。
【考案の詳細な説明】
【技術分野】
【０００１】
本考案は生活資材、殊に、寝装用、浴用、各種レジャーやスポーツ用のタオル地、マフラー等に関する。
【背景技術】
【０００２】
片面パイル組織や両面パイル組織で織成されたタオル地は、一般家庭用のタオルのほかマフラー、寝装用、浴用、各種のレジャーやスポーツ用として多用されている。
【０００３】
一方、パイル面のパイルを長パイルあるいは短いパイルにして、パイルの保形性や復元性を改良する技術が知られているがタオル地に冷感機能を持たせるといった開示は全くない（特許文献１）。
【先行技術文献】
【特許文献】
【０００４】
【特許文献１】特開２０００−１７００５６号公報
【考案の概要】
【考案が解決しようとする課題】
【０００５】
近年の地球の温暖化現象の進行に伴い、日常の生活圏における省エネや暑熱対策が叫ばれる今日、今や日常の生活に欠かせないタオル地を用いた用品に素速く熱を拡散する機能が付加されれば画期的なことでもある。本考案は、タオル地に冷感機能を持たせた省エネや真夏のスポーツなど猛暑に対応できる冷感タオル地を提供することを課題とする。
【課題を解決するための手段】
【０００６】
本考案は、よこ糸と地たて糸とパイルたて糸からなり、片面パイル組織もしくは両面パイル組織で織成されたタオル地であり、前記パイルたて糸の少なくとも一部が超高分子量ポリエチレン繊維からなることを特徴とする。
【考案の効果】
【０００７】
本考案の冷感タオル地は、、通気性が良く、保湿、吸湿、保温性に優れ、肌触りが良く、柔らかいのはもちろんであるが、驚くべきことには、肌に接触させたときに、ひやっとする、所謂、冷感を奏す機能を有しており、省エネや真夏のスポーツなど猛暑に対応できる冷感タオル地が提供できる。また、洗濯後の水きり乾燥が速いのも効果、特徴の一つである。尚、前記する、冷感を奏する機能ならびに洗濯後の水きり乾燥が速いという効果は、何回使用しても衰えず持続が可能である。
【図面の簡単な説明】
【０００８】
【図１】本考案の実施例１で得られたパイル織タオル地を示す図であり、パイル糸とたて糸よこ糸の関係を表す概略図である。
【図２】本考案のタオル地の実施例１の織物組織図である。
【図３】本考案のタオル地の実施例１の織前から見た断面図である。
【考案を実施するための形態】
【０００９】
本考案は、よこ糸と地たて糸とパイルたて糸からなり、片面パイル組織もしくは両面パイル組織で織成されたタオル地であり、前記パイルたて糸の少なくとも一部が超高分子量ポリエチレン繊維からなる。
【００１０】
タオルは、組織と筬打ちの関係でパイルを表面に出す織物で、タオル用の特殊な筬打ち装置のついたタオル織機で織られる。基本的には、よこ糸、地たて糸およびパイルたて糸を用いて製織される。
【００１１】
尚、タオル地は、製織に際し、多重ガーゼ組織を採択して組み合わせる場合にあっては、ガーゼのたて糸およびよこ糸の少なくとも一部に超高分子量ポリエチレン繊維を用いて、ガーゼ自体に冷感機能をもたせることも可能である。
【００１２】
本考案のタオル地に用いるよこ糸および地たて糸は、綿、麻、ウール、アクリル、ポリエステル、ナイロン、ポリエチレン素材からなる糸が用いられる。これらの素材は、とくに限定されることなく、タオル地の使用目的用途に応じて、適宜選択が可能である。
【００１３】
本考案のタオル地に用いるパイルたて糸は、少なくとも一部が超高分子量ポリエチレン繊維からなる糸を用いることが必要である。ここで、少なくとも一部とは、約３０％以上をいう。少なくとも一部の場合、パイルは偏在させるのではなく、まんべんなく全体に存在させる事が好ましい。勿論、１００％が超高分子量ポリエチレン繊維からなる糸であっても良い。
【００１４】
ポリエチレンは、通常２万〜３０万の分子量であるが、超高分子量ポリエチレンは、質量平均分子量を１００万〜７００万まで高めたポリエチレンを言う。
【００１５】
本考案では、この超高分子量ポリエチレンを糸にしたものを少なくともパイルたて糸として用いる。超高分子量ポリエチレン糸の太さは、タオルの接触感、風合いを損なうことがなければ特に限定されるものではないが、例えば、１００〜４００デシテックスの太さの糸が使われる。
【００１６】
超高分子量ポリエチレン糸を用いて、製織する場合、超高分子量ポリエチレン糸を例えば１本撚糸または２本撚糸とし、インチ当り、３から８回の撚数を与えることで、整経、製織ができる。例えば、この撚数は、よこ糸は３〜５回、たて糸は５〜８回が良い。更には、エアージェット織機の緯糸にも使用が可能である。
【００１７】
超高分子量ポリエチレン糸は、他の汎用素材と比べて熱伝導率が大きく、従って、タオル地のパイルに用いることで、接触冷感が得られる。パイルに用いる事で、接触表面積が大きくなり、接触冷感が拡大されることになる。
【００１８】
超高分子量ポリエチレン糸がタオル地の少なくともパイル糸に用いられることで、タオル地を家庭用洗濯機で洗濯を行う際、脱水の段階で、水切りが速くなり乾きが速くなるといったメリットもある。
【実施例】
【００１９】
（実施例１）
タオル織機を用い、二重ビーム（パイルビーム、グランドビーム）、綜絖（ヘルドともいう）枠数６枚を用いて図２に示す組織図に基づいて織成した。
【００２０】
図１は、本考案のタオル地の一実施例を示す概略斜視図である。
【００２１】
図２は、本考案の実施例１の織物組織図を示す。たての１〜６の数字は、緯糸ピック数を示す。よこの１〜１２の数字は筬枚数を示す。Ｐはパイル糸、Ｇはグランド糸を示す。Ａは上げる、Ｓは沈むを示す。
【００２２】
図３は、同実施例１のタオル織物の織前から見た断面図を示す。
【産業上の利用可能性】
【００２３】
発汗放出、保温、吸水性も高い。また、通気性が良く、保温性も十分兼ね備えており、家庭用洗濯機で洗濯した場合、脱水時間が短く、乾燥が早いのも特徴の一つである。パイル地部分に接触すると冷感効果があり、スポーツ用、レジャー用のタオル製品、マフラー、ヘッドバンド、敷きパット、タオルケット、ピロケース等広く適用が可能である。
【符号の説明】
【００２４】
１：よこ糸
２：たて糸      
３：パイル糸
【図２】
0003175126.tif 000003
【図３】
0003175126.tif 000004
【図１】
0003175126.tif 000005
(57)【要約】      （修正有）【課題】製品に指定のシールやポロン等の補強品を貼り付ける際に使用する治具で、製品を固定する台とシール類を貼り付ける工具で構成され、貼り付け工程の生産能力を高め、製品の品質も保証できる貼り付け治具を提供する。【解決手段】貼り付けガイド工具２に、貼り付け物３の幅に合わせたチャックの溝を付け、端点をくっつけて貼り付け物の上を製品４の端面に沿って滑らせることで、確実に安定した貼り付け作業が行える。貼り付け工程の生産能力を高め、製品の品質も保証できるようにした。【選択図】図１
0003175174.tif 000002
【実用新案登録請求の範囲】
【請求項１】
製品に指定のシールやポロンの補強品を貼り付ける際に使用する治具であり、製品固定台、貼り付けガイド工具で構成されている。貼り付けガイド工具は内側にはシール類に合わせた溝が彫られていて、その溝は、製品をスライドさせる直角の奥側の面と、上から製品シールを押し付ける水平面、そして直角の手前の面でできている。
製品固定台に固定された製品に貼り付け物を指定部分に貼り付けながら押さえつけ、効率よく作業するようにしたことを特徴とする貼り付け治具。
【考案の詳細な説明】
【技術分野】
【０００１】本考案は製品に指定の長尺状のシールやポロン等の補強品を貼り付ける際に使用する治具に関するものである。
【背景技術】
【０００２】以前の長尺状のシールを貼り付けるには、貼り付けは手で貼り付け物を製品に合わせて要求の位置に貼っていたため、出来ばえやスピードは完全に経験と腕の堪能さによるところが多かった。貼る位置がずれて不良品になったり、きれいに貼るために時間がかかったりと、ミスしやすく、生産効率が悪い状況だった。また、貼り付け物の幅が狭かったり、長くなったりするほど、作業しにくく、効率もずっと悪くなる。
【先行技術文献】
【特許文献】
【０００３】
【特許文献１】特開平１１−０６００３６号公報
【考案の概要】
【考案が解決しようとする課題】
【０００４】製品に指定の粘着性で長尺状のシールやポロン等の補強品を正確に早く貼り付けるためのニーズが求められている。貼り付け工程の生産能力を高め、製品の品質も保証できるようにする。
【課題を解決するための手段】
【０００５】本考案の貼り付け治具には、貼り付け物の幅に合わせたチャックの溝があり、端点をくっつけた貼り付け物の上を製品の端面に沿って滑らせることで、確実にしっかりと貼り付けることができる。
【考案の効果】
【０００６】本考案の貼り付け治具は貼り付け物の幅が狭くて長かったとしても、安定して作業することができ、生産効率を高め、製品品質も上がり、作業のストレスと工員の労働強度を大きく軽減できる。
【図面の簡単な説明】
【０００７】
【図１】貼り付け治具の構成
【図２】治具使用時の拡大図
【考案を実施するための形態】
【０００８】図１は、本考案の貼り付け治具の構成を表す（作業者の位置は奥側となる）。
この図で示すように、本考案の治具は製品を固定する製品固定台１とシール類を貼り付ける貼り付けガイド工具２で構成されていて、貼り付けガイド工具２の内側にはシール類に合わせた溝が彫られている。その溝は図のとおり、直角の奥側の面（ガイド工具製品スライド面２１）と上の水平面（ガイド工具製品シール押し付け面２２）、そして直角の手前の面で構成されている。
以下に本考案の貼り付け治具の構成と、詳細な方法、具体的な操作プロセスを示す。
製品固定台１に固定された製品４に、貼り付け物３の粘着面を下にして一端を貼り付ける。
そして、貼り付け物３を奥側上方に軽く引き、その貼り付けた一端に貼り付けガイド工具２を溝に合わせて置き、もう一端へスライドさせていく。溝のガイド工具製品スライド面２１により貼り付け物３を製品４の端面に沿わせることができ、また、溝の水平面（ガイド工具製品シール押し付け面２２）により浮き沈みなく貼り付けることができる。
貼り付けガイド工具２の寸法は、貼り付け物３と製品４の関係する寸法によって設計する。
【産業上の利用可能性】
【０００９】本考案の貼り付け治具により、貼り付けの作業量、作業効率を倍に高めることができる。
【符号の説明】
【００１０】１  製品固定台
２  貼り付けガイド工具
２１  ガイド工具製品スライド面
２２  ガイド工具製品シール押し付け面
３  貼り付け物
４  製品
【図１】
0003175174.tif 000003
【図２】
0003175174.tif 000004
(57)【要約】      （修正有）【課題】入浴時の温熱効果を利用して、１つの製品で、顔全体の引締めと、頭皮の血行促進及び滑らかで且つ肌を傷つけにくい髭剃りの為の下準備を同時に行うサウナ頭巾を提供する。【解決手段】ポリエチレン等にアルミ蒸着フイルムをコーティング２した二層構造の断熱材を使用して、内側３が遠赤外線を反射するアルミ層となる構造の袋を形成する。装着時、美顔体操が出来る様、顔面の皮膚に密着しない大き目の頭巾を、入浴時被る事に依り、お風呂のお湯の熱を効率良く取込むと同時に、顔面及び頭皮から発散される遠赤外線をアルミ層へ反射させ、それらの相乗効果で、発汗作用を増進される。尚、息苦しさと密閉感を防ぐ為、目・鼻・口の部分は開口する構造で構成した。【選択図】図２
0003175178.tif 000002
【実用新案登録請求の範囲】
【請求項１】
内側をアルミ層にした、ポリエチレン等とアルミ蒸着フイルムの二重構造の袋型断熱材を使用し、自分の顔に適応した目・鼻・口の位置で切切取る為の切り取り線を施したサウナ頭巾。
【考案の詳細な説明】
【技術分野】
【０００１】本考案は、入浴時、温熱効果で、顔全体を引締める方法と、頭皮の血行を促進させ且つ髭剃りを滑らかにする為の製品に関して。
【背景の技術】
【０００２】従来、発汗作用を利用したフェースマスクは、顔面の体温を上昇させ、顔のむくみの原因となる余分な水を、汗として吹き出させる構造。
【０００３】又、温熱効果で、頭皮の血行を促進させる方法は、穴の開いた帽子にお湯を溜めて、頭皮を温める構造。
【０００４】男性の髭剃りで、滑らかに且つ肌を傷つけにくい髭剃りを行うには、温熱を利用して、髭と髭部の皮膚細胞を拡げた後の方が効果的である。
【００５】上記、３種類の効果を同時に満たすには、フェースマスクとお湯溜め帽子を同時に使う必要がある。
【先行技術文献】
【０００６】
【特許文献】
【特許文献】特公開号２００４−２６７５７４  特公開号２００４−１１３５１１
【非特許文献】
【０００７】
【非特許文献１】（株）赤石アルミ顔やせマスク  温泉育毛キャップ
【考案の概要】
【考案が解決しようとする課題】
【０００８】入浴時の温熱効果を利用して、１つの製品で、顔全体の引締めと、頭皮の血行促進及び滑らかで且つ肌を傷つけにくい髭剃りの為の下準備を同時に行う製品の開発にある。
【課題を解決するための手段】
【０００９】以上の目的を達成する為に、アルミ蒸着フイルムとポリエチレンを一体とした、軽量で断熱効果ある素材を利用する。【００１０】次に、お風呂のお湯の熱を顔及び頭に取込む為に、頭からすっぽり被る頭巾形状にする。【００１１】又、頭巾は、装着時、顔の美顔体操が出来る様、顔面の皮膚に密着しない様なサイズにする。【００１２】頭巾の内部をアルミ層にする事に依り、顔面及び頭皮から発散される遠赤外線をアルミ層で反射される為、発汗作用が増進される。【００１３】息苦しさと密閉感を防ぐ為、目・鼻・口を簡単に切り取り出来る様、参考位置切り取り線を施しておく。
【考案の効果】
【００１４】美容の一番の悩みとなる、顔・髪の手入れが簡単にしかも効率的に出来る。
【図面の簡単な説明】
【００１５】
【図１】本考案の一実施例を示す姿図
【図２】本考案の一実施例を示す断面図
【図３】本考案の一実施例を示す入浴時の使用状態図
【符号の説明】１  頭巾本体
２  外層（ポリエチレン）
３  内層（アルミ蒸着フイルム）
４  切取加工用点線
【考案を実施する為の形態】
【００１６】以下、図面と共に本考案の実施例を図面に従って説明すると、ポリエチレン製の外層（２）とアルミ蒸着フイルムの内層（２）の２層構造からなる頭巾を、予め施してある目・鼻・口の切り取り線（４）を参考に、自分の顔に適応した位置に切り取る。
【００１７】以上で準備は完了、その加工した頭巾を被り入浴する。
【図１】
0003175178.tif 000003
【図２】
0003175178.tif 000004
【図３】
0003175178.tif 000005
(57)【要約】      （修正有）【課題】物を包み保護するための製品は限りなくあるが、それに伴い持ち物が増えるので手の不自由な人、あるいは手が使えない時、瞬時に装着できる、雨具であったり、袋であったり、エプロンであったり、常時携帯しても、負担にならない多目的、多用途に使用できる包み布を提供する。【解決手段】従来、風呂敷が簡易に包む物としてあるが、結ぶ動作が手の不自由な人、あるいは手が使えない時は使い勝手が良くない。柄や大きさがクラッシックなこともあり多目的、多用途には限界がある。そこで軽くて、防水、撥水性のある布地の周縁部に変形自在なワイヤーを挿入して、ねじる、曲げる、ひねる、等の動作により瞬時に装着でき、ワイヤー挿入部２を曲げたり、ひねったりする事で雨具、エプロン、カバー、袋、物入れ、敷き物、等多目的、多用途に使用できるため常時携帯しても負担がかからない。【選択図】図１
0003175179.tif 000002
【実用新案登録請求の範囲】
【請求項１】
円形、方形等の適宜形状を有する防水、撥水性の布地の周縁部に変形自在なワイヤーを挿入し、前記布地の平面部に複数の上方を開口とする袋を取り付けた包み布である。
【考案の詳細な説明】
【技術分野】
【０００１】  本考案は平面の布地の周縁部にワイヤーを通しそのワイヤーをひねる動作によって多目的に使えるようにした包み布である。
【背景技術】  物を包む手段としては従来より風呂敷がある、四隅を縛って使用するが柄、大きさ，デザインがクラシックであり多目的、多用途にいたっていない。【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  従来の風呂敷等の包む物は四隅を縛ることで用いたが、材質、柄、名称のイメージがクラシックなので、本案のように雨具、エプロン、カーテン、カバー、その他多用途、多目的ではなかった。また、縛る動作は、手の不自由な人、あるいはそのような時に負担がかかる。随意な箇所で、瞬時に結び合わせて、大きさ、柄、材質、を考慮した本製品は一つで、包み、保持できる多目的、多用途に使用できるものである。
【課題を解決するための手段】
【０００６】  本考案は適宜形状を有する防水、撥水性のある布地の周縁部に変形可能なワイヤーを挿入し、前記布地の周縁部に袋部を設けた事により、エプロン、雨具、カーテン、カバー等、多目的、多用途にかなうものである。
【考案の効果】
【０００７】  本考案の包み布の利用上の効果として、防水、撥水性のある布地を使用した事により、エプロン、雨具等多用途な使用が増え、平面上の一部に上部開口の袋部を設けた事、周縁部に変形可能なワイヤーを挿入することで随意な箇所をひねる、合わせる、曲げる等が可能になり、手が不自由な人、あるいはそのような時でも簡単に、雨具、エプロン、カバー、保護敷き物、カーテン、等応用効果が得られ携帯しても負担をかけない。
【図面の簡単な説明】
【０００８】
【図１】本考案に係る包み布、正方形とした実施例を示す平面図。
【図２】本考案に係る包み布とした円形とした実施例を示す平面図。
【図３】本考案に係る包み布の要部を示す断面図〔一部〕
【実施例】
【０００９】  本考案の包み布について説明する。方形、円形の防水、撥水性のある布地の周縁部にワイヤーを挿入してなるものである。
１．雨具として。
２．エプロンとして。
３．袋を形状したものである。
【符号の説明】
【００１０】１．布地
２．ワイヤー挿入部
３．袋
【図１】
0003175179.tif 000003
【図２】
0003175179.tif 000004
【図３】
0003175179.tif 000005
(57)【要約】      （修正有）【課題】外側がプラスチックで、髪に接する内側に髪をセットするための熱良導体を接合し、やけどの可能性を少なくした、ヘアドライヤーで加熱して使用するヘアクリップを提供する。【解決手段】外側が熱を伝えにくいプラスチックで、内側が熱良導体で、これが直接髪に触れている。熱良導体は内側のみにあり、外側はプラスチックで覆われているので直接手や頭皮に触れる事はない。ヘアドライヤーの熱を熱良導体が髪に直接伝え、早く髪をセットする。外側は熱を伝えにくいプラスチックで、熱くならないのでヤケドの危険性が少なくなる。【選択図】図２
0003175187.tif 000002
【実用新案登録請求の範囲】
【請求項１】
外側がプラスチックで、髪に接する内側に髪をセットするための熱良導体を接合したヘアクリップ
【考案の詳細な説明】
【技術分野】
【０００１】本考案は毛髪をセットするためのヘアクリップに関するものである。
【背景技術】
【０００２】従来のヘアクリップは全体がプラスチックか、全体が金属の熱良導体でできている。
【考案の開示】
【考案が解決しようとする課題】
【０００３】従来の全体がプラスチックでできているヘアクリップは髪に熱を伝えにくいのでセットに時間がかかる。全体が金属の熱良導体でできているヘアクリップは髪に直接熱を伝えるのでセットが早いが、熱良導体が、手や頭皮に触れて、ヤケドの危険性がある。
【課題を解決するための手段】
【０００４】［図１］のように外側のプラスチックで内側に熱良導体を接合したヘアカーラーの髪の止め具を提供する。
【考案の効果】
【０００５】［図１］のように外側が熱を伝えにくいプラスチックで、内側が熱良導体で、これが直接髪に触れている。熱良導体は内側のみにあり、外側はプラスチックで覆われているので直接手や頭皮に触れる事はない。ヘアドライヤーの熱を熱良導体が髪に直接伝え、早く髪をセットする。外側は熱を伝えにくいプラスチックで、熱くならないのでヤケドの危険性が少なくなる。
【実施例】
【０００６】［図２］が本考案の使用例で、毛髪が直接、熱良導体に接しているのがわかる。また外側はプラスチックで、直接熱良導体に触れる事がない。
【産業上の利用可能性】
【０００７】ヘアクリップで髪をセットする際に  従来のプラスチック製の髪止め具に比べて、ヘアドライヤーをかける時間が短縮され、省エネルギーになる。また従来の全体が金属製の熱良導体の髪止め具に比べて、ヤケドの恐れが少なくなる。
【図面の簡単な説明】
【０００８】
【図１】本考案のヘアクリップ
【図２】本考案のヘアクリップの使用例
【図１】
0003175187.tif 000003
【図２】
0003175187.tif 000004
(57)【要約】      （修正有）【課題】トーチによる鋼管杭の手動切断にあって、切断状態の水平精度および平滑度を向上させることができる切断ガイド定規を提供する。【解決手段】鋼管杭に固定し、テーブルとなる固定フレーム１ａ等と鋼管杭中心方向に伸縮自在に押し込む事が出来るように取付けた一対のネジ棒２を備え、鋼管杭中心方向に伸縮自在に押し込む鋼管杭と当接する先端には傾斜自在に動く先端金具３とを備えて鋼管杭切断ガイド定規とする。鋼管を切断する時は、鋼管杭のサイズにあった鋼管杭切断ガイド定規を鋼管杭の杭頭上端より挿入し、切断位置の印を目標にセッティングをし、トーチによる切断機を手に持ち火口を鋼管杭切断ガイド定規に乗せて行なう事で水平精度および平滑度を上げ、しかも切断時のストレスも軽減出来る。【選択図】図４
0003175190.tif 000002
【実用新案登録請求の範囲】
【請求項１】
鋼管杭の外周に固定してテーブルとなる固定フレームに、前記鋼管杭の軸心中心方向にねじ込み可能な少なくとも一対のネジ棒を螺着してなることを特徴とする鋼管杭切断ガイド定規。
【請求項２】
上記鋼管杭と当接するネジ棒の先端部分に傾斜自在に搖動可能な先端金具を有することを特徴とする請求項１記載の鋼管杭切断ガイド定規。
【考案の詳細な説明】
【技術分野】
【０００１】  本考案は、鋼管杭の杭頭を打ち込み方向と直交方向に切断するための切断ガイド定規に関するものである。
【背景技術】
【０００２】  従来の鋼管杭の手動切断機にあってはトーチによる切断機を手に持ち、鋼管杭に吹きつけながらその外周を回って溶断による切断を行うのが一般的であり、その切断状態の精度に問題があった。
【先行技術文献】
【特許文献】
【０００３】
【特許文献１】特開２００５−２７９７３３号公報
【考案の概要】
【考案が解決しようとする課題】
【０００４】  この考案は、上記のような課題に鑑み、その課題を解決すべく創案されたものであって、その目的とするところは鋼管杭切断ガイド定規のセッティングが簡単でしかも、その切断による水平精度および、平滑度で切断できる利点を要した鋼管杭切断ガイド定規を提供することにある。
【課題を解決するための手段】
【０００５】    以上の目的を達成するために、鋼管杭の外周に固定してテーブルとなる固定フレームに、前記鋼管杭の軸心中心方向にねじ込み可能な少なくとも一対のネジ棒を螺着した鋼管杭切断ガイド定規で、鋼管杭と当接するネジ棒の先端部分に傾斜自在に搖動可能な先端金具を取付けた。【０００６】  ここで好ましい態様として、鋼管杭中心方向に伸縮自在に押し込む鋼管杭と当接する先端部分には傾斜自在に動く先端金具を取付けるのがよい。
【考案の効果】
【０００７】  以上の記載よりこの考案に係る鋼管杭切断ガイド定規によれば、鋼管杭のサイズにあった鋼管杭切断ガイド定規を鋼管杭の杭頭上端より挿入し、切断位置の印を目標にセッティングをし、トーチによる切断機を手に持ち火口を鋼管杭切断ガイド定規に乗せて行なう事で水平精度および平滑度を上げ、しかも切断時のストレスも軽減出来る。
【図面の簡単な説明】
【図１】本考案に係る一実施例を示す鋼管杭切断ガイド定規の上面図である。
【図２】図１の側面図である。
【図３】図１に図示のＡ−Ａ矢視の断面図である。
【図４】本考案に係る一実施例で、鋼管杭切断ガイド定規の使用時状況を示す説明図である。
【考案を実施するための形態】
【０００８】  以下、図面に記載の考案の実施の形態に基づいて、この考案をより具体的に説明する。
【０００９】  鋼管杭切断ガイド定規は、切断状態の水平精度および平滑度を上げ又、切断時のストレスも軽減するために使用されるもので鋼管杭に固定し、テーブルとなる固定フレーム（１）と鋼管杭中心方向に伸縮自在に押し込む事が出来るように取付けた一対のネジ棒（２）とを少なくとも備えたものなどから主に構成される鋼管杭切断ガイド定規について説明する。
【００１０】  固定フレーム（１）はドーナツ状に形成されたプレートである。フレーム枠（１ａ）と鋼管を極端に短く切断した単管である定規材（１ｂ）と四角のプレートであるプレート座（１ｃ）と四角のプレートに１ヶ所面取りを行なったストッパープレート（１ｄ）を溶接等により固着した部材よりなる。
【００１１】  鋼管を極端に短く切断した単管の定規材（１ｂ）はドーナツ状に形成されたフレーム枠（１ａ）の内側上面に同心位置で固着されている。四角のプレートであるプレート座（１ｃ）は中央付近にネジ棒（２）がねじ込まれるタップ加工が施されている。
【００１２】  ネジ棒（２）は外周にネジ加工を施したボルトとし、プレート座（１ｃ）にねじ込まれ鋼管杭の中心に向け進退できるように取付けられる。そのネジ棒（２）を回転させる事で鋼管杭外周面に圧接させることも出来る。
【００１３】  先端金具（３）はネジ棒（２）で鋼管杭外周面を圧接する時に傾斜自在に動くように取付けられ、長方形のプレートで鋼管杭外周面を圧接する部分は両端よりテーパー加工が施され、中央にはネジ棒（２）が挿入されている。
【００１４】  ロックナット（４）はネジ棒（２）を回転させ、先端金具（３）が鋼管杭外周面を圧接する状態を保つために使用されるものでプレート座（１ｃ）に密着するまで締付ける。
【産業上の利用可能性】
【００１５】  この鋼管杭切断ガイド定規を使用することで、切断精度が上がり杭頭上端蓋の溶接が簡単に出来、経済効果を上げる利点がある。以上のことから鋼管杭の不要部分を切除する切断ガイド定規として適用が出来る。
【符号の説明】１        固定フレーム
１ａ      フレーム枠
１ｂ      定規材
１ｃ      プレート座
１ｄ      ストッパープレート
２        ネジ棒
３        先端金具
４        ロックナット
【図１】
0003175190.tif 000003
【図２】
0003175190.tif 000004
【図３】
0003175190.tif 000005
【図４】
0003175190.tif 000006
(57)【要約】      （修正有）【課題】肩に加わる体圧が軽減されることにより、五十肩の人は、横向き就寝時に発生する痛みの軽減をはかることができる肩腕落溝寝具を提供する。【解決手段】同一な厚さのマットの、仰向け就寝時に肩が接触する部分に、頭部方向の前方壁を垂直に、胴足部方向の後方壁を傾斜させて設ける肩腕落溝をマットの両側面に、マットの縦方向の中心部を残して穿つ。【選択図】図１
0003175184.tif 000002
【実用新案登録請求の範囲】
【請求項１】
同一厚さのマットの、仰向けに寝たときに肩が接触する部分に、頭部方向の前方壁を垂直に、胴足部方向の後方壁を傾斜させて設ける肩腕落溝を前記マットの両側面に、前記マットの縦方向の中心部を残して穿つことを特徴とする肩腕落溝寝具。
【考案の詳細な説明】
【技術分野】
【０００１】  本考案は、横向きに寝返りしたときの肩腕落溝寝具に関する。
【背景技術】
【０００２】  従来の（肩腕落溝寝具）は、脇元より腰元へ三角状の傾斜敷布団を形成し、該傾斜敷布団と枕の間に肩と腕の入り込む肩腕落溝を設け、この傾斜敷布団と枕間を弾力性あるつぎ布で接続された構成とされている。【０００３】  しかしながら、従来の肩腕落溝寝具では、体が頭方向が高い位置で傾斜してしまう事、また肩腕落溝を弾力性あるつぎ布で接続しても、肩腕落溝の幅が維持できない事及び肩腕落溝が左右貫通しているため、仰向け睡眠時には胸部が落ち込む姿勢となり、不快である。
また、市販の磁気布団や変形ベット及び低反発マットでは、横向きに寝返りの場合は肩腕に加わる体圧の軽減ができず、肩部及び腕部に痛みを生じるという欠点があった。
【先行技術文献】
【特許文献】
【０００４】
【特許文献１】  特開平１２０９１９  公開
【考案の概要】
【考案が解決しようとする課題】
【０００５】  本考案は、以上のような従来の欠点に鑑み、三角状の傾斜敷布団に代わり敷マット全体の厚さは同一とするが、肩腕落溝部は薄いマットにより溝を形成することにより、就寝時の縦方向水平を保つ。
また肩腕落溝が左右まで同一形状では仰向け就寝時に胸部の落ち込みがあるので、肩腕落溝は左右に配置し、中央部には頭部及び胴足部と同一の厚さのマットを配置し、胸部の落ち込みを防ぐと共に、足方向へ溝を傾斜とすることで、腕の自由度を図る。
肩腕落溝の弾力性あるつぎ布は、溝幅寸法が寝返りにより変化するため、頭部及び胴足部と同一の厚さのマットとは別に薄いマットとし、溝幅寸法の変化を防止する肩腕落溝寝具を提供する事を目的としている。
【課題を解決するための手段】
【０００６】  上記目的を達成するために、本考案は、同一厚さのマットの、仰向け時に肩が接地される部分に肩腕落溝を両側に設け、肩腕落溝の底部は薄いマットとする。肩腕落溝の断面形状は頭部方向は垂直であるが、胴足部方向に傾斜を有する構造とした肩腕落溝寝具。
【考案の効果】
【０００７】    以上の説明から明らかなように、本考案にあっては次に列挙する効果が得られる。
（１）厚みのあるマットと横向き時に肩部及び腕部に位置する薄いマットとで構成されて    いるので、体圧が軽減されることにより、五十肩の人は、就寝横向き時の痛みの軽減    をはかることができる。【０００８】（２）肩腕落溝部に薄いマットがあることにより、肩腕落溝水平方向の型くずれを防止す    ることができる。【０００９】（３）肩腕落溝部は、足方向に傾斜の形状のため、腕に自由度ができる。【００１０】（４）肩腕落溝部は両側にもうけるが、中央部は厚みのあるマットであるため、仰向け就    寝時に肩部の落ち込みを防止することができる。
【図面の簡単な説明】
【００１１】
【図１】本考案の斜投影図である。
【図２】本考案の人体あり斜投影図である。
【実施例】
【００１２】  図１は本考案の実施例であり、頭部マット１及び肩腕落溝２の幅は３０〜４０ｃｍ程度とする。肩腕落溝２は両幅端から中央へ凹んだ形状とし、中央の成人肩幅３については、溝としない。肩腕落溝２を横から見た形状は、胴足部方向の後方壁５を傾斜がある形状とする。なお肩腕落溝２は、薄いマットとし、肩腕落溝２の水平方向形状保持を行う。
図２は就寝時の形態を示す。頭部マット１に枕６を置き、頭部をのせる。両肩は肩腕落溝２の位置にくることにより、仰向け就寝時の肩への圧迫を避ける。また寝返りによる横向き就寝時には肩が肩腕落溝２にはまり、肩への圧迫を避ける。このことにより五十肩などによる痛みを軽減する。
【符号の説明】
【００１３】１．頭部マット
２．肩腕マット
３．胸部マット
４．下部マット
５．後方壁
６．枕
【図１】
0003175184.tif 000003
【図２】
0003175184.tif 000004
(57)【要約】      （修正有）【課題】ハーネス型安全帯に使用するベルトで、表裏の確認が容易なベルトを提供する。【解決手段】ハーネス型安全帯ベルトの表面に再帰性反射フィルムを製織する。【選択図】図１
0003175181.tif 000002
【実用新案登録請求の範囲】
【請求項１】
両肩に掛ける肩掛けベルトと肩掛けベルトが背部で交差し足に通る腿掛けベルトとを連結させたハーネス型安全帯ベルトで、ベルトの表面には再帰性反射フィルムを製織することで遠方でもハッキリと認識できることを特徴とし、再帰性反射フィルムでベルトの表裏が確認できハーネスの装着が容易に出来ることを特徴とした墜落防止用ハーネス型安全帯のベルト。
【考案の詳細な説明】
【技術分野】
【０００１】  本考案は高所作業時に装着するハーネス型安全帯のベルトに関するものである。
【背景技術】
【０００２】  従来から、安全帯は高所作業時に必ず装着する物であり現場責任者も安全帯の使用状況の確認が必要であった。しかし高所作業場所ともなると下方からの確認がしづらく作業者が安全帯の着用状況を確認することが難しかった。【０００３】  また夜間作業時などの視認性を良くするための商品として反射材を取り付けた安全ベストの着用、又は反射材の付いたシールやパットを付けて作業をする必要性があった。【０００４】  安全帯にも種々のものがあるが、特にハーネス型安全帯に関しては肩ベルト、腿ベルト、胴ベルトなど多数のベルトで構成されているため容易に装着することができなかった。
【先行技術文献】
【特許文献】
【０００５】
【特許文献１】実用新案登録第３１６６６８５  公報
【特許文献２】特開２００３−１１７０１５  公報
【考案の概要】
【考案が解決しようとする課題】
【０００６】  安全帯などを使用する高所作業場所では視認性を良くするため反射付き安全ベストを安全帯と同時に着用したり、安全帯に反射材の付いたシールやパットを取り付けるなどの手間が掛かり現在使用している安全帯に視認性を良くするための機能を追加する必要性があった。【０００７】  またハーネス型安全帯に関してはベルトの表裏が同色となっていたため装着するのが容易ではなかった。
【課題を解決するための手段】
【０００８】  本考案は光源から発した光がベルトに当たると再び光源に向かって返ってくる再帰性反射フィルムと合成繊維で製織されたベルトであって、高所作業場所で使用するハーネス型安全帯に前記ベルトを使用することにより遠方からでも視認しやすい安全帯となる。またベルトの表裏が反射フィルムの有無で確認できるように製織されたものになっている。
【考案の効果】
【０００９】  再帰性反射フィルムが製織されているベルトを使用しているので、現在の安全帯に視認性を良くするための商品などを取り付ける手間がいらない。【００１０】  またベルトの表裏が反射フィルムの有無で確認できるのでハーネス型安全帯などの着用が容易にできる。
【考案を実施するための形態】
【００１１】  光源から発した光が対象物に当たると再び光源に向かって返ってくる再帰性の反射フィルムと合成繊維で製織したベルトでベルトは反射フィルムが裏面に出ないように綾織りに形成されたベルトである。
【００１２】  前記ベルトをハーネス型安全帯に構成される肩ベルト、腿ベルト、胴ベルトなどに使用する。
【実施例】
【００１３】  図１はハーネス型安全帯に反射フィルム付きベルトを取り付けた図である。
【産業上の利用可能性】
【００１４】  以上のように本考案によれば、ハーネス型安全帯を着用することで遠方からでもハッキリと認識することができる商品となり、ベルトの表裏が反射フィルムの有無で確認できるため容易に着用できる。
【図面の簡単な説明】
【００１５】
【図１】本考案のハーネス型安全帯を装着した状態を示す正面図である。
【図２】本考案のハーネス型安全帯を装着した状態を示す裏面図である。
【図３】本考案のベルトを示す表面図である。
【図４】本考案のベルトを示す裏面図である。
【符号の説明】
【００１６】１  反射フィルム付きベルト
２  ハーネス型安全帯
３  肩ベルト
４  腿ベルト
５  胴ベルト
６  反射フィルム
７  合成繊維
【図１】
0003175181.tif 000003
【図２】
0003175181.tif 000004
【図３】
0003175181.tif 000005
【図４】
0003175181.tif 000006
(57)【要約】      （修正有）【課題】家庭内において気軽に腹筋運動を行えるようにした腹筋用足掛具を提供する。【解決手段】腹筋運動時に足先を押えるための腹筋用足掛具１において、足先を押える足先押え２に左右一対の脚体３，４を設け、各脚体３，４に錘１７，１８を出し入れ可能に収容する錘収容部１９，２０を形成することにした。そのため、錘１７，１８を外した状態で持ち運びができ、家庭内の様々な場所で気軽に腹筋運動を行うことができる。【選択図】図１
0003175192.tif 000002
【実用新案登録請求の範囲】
【請求項１】
腹筋運動時に足先を押えるための腹筋用足掛具において、
足先を押える足先押えに左右一対の脚体を設け、各脚体に錘を出し入れ可能に収容する錘収容部を形成したことを特徴とする腹筋用足掛具。
【考案の詳細な説明】
【技術分野】
【０００１】
本考案は、腹筋運動時に足先を押えるために補助的に使用する腹筋用足掛具に関するものである。
【背景技術】
【０００２】
従来より、トレーニングマシンには腹筋用足掛具が設けられたものがあり、腹筋用足掛具で足先を強制的に押えて腹筋運動を行うようにしている（たとえば、特許文献１参照。）。
【先行技術文献】
【特許文献】
【０００３】
【特許文献１】特開平９−１４０８２８号公報
【考案の概要】
【考案が解決しようとする課題】
【０００４】
ところが、家庭内においてトレーニングマシンを使用して腹筋運動を行うとなると、トレーニングマシンの設置スペースやトレーニングマシンの収納スペースが必要となるとともに、収納スペースから設置スペースへ移動させる必要がある。
【０００５】
そのため、家庭内においては、トレーニングマシンを用いて腹筋運動を気軽に行うことが困難である。
【課題を解決するための手段】
【０００６】
そこで、本考案では、腹筋運動時に足先を押えるための腹筋用足掛具において、足先を押える足先押えに左右一対の脚体を設け、各脚体に錘を出し入れ可能に収容する錘収容部を形成することにした。
【考案の効果】
【０００７】
本考案に係る腹筋用足掛具を用いることで、家庭内において気軽に腹筋運動を行うことができる。
【図面の簡単な説明】
【０００８】
【図１】本考案に係る腹筋用足掛具を示す正面斜視図（ａ）、背面斜視図（ｂ）、平面図（ｃ）、正面図（ｄ）、側面断面図（ｅ）、側面図（ｆ）。
【考案を実施するための形態】
【０００９】
以下に、本考案に係る腹筋用足掛具の具体的な構成について図面を参照しながら説明する。
【００１０】
図１に示すように、腹筋用足掛具１は、腹筋運動時に使用者の足先を補助的に押えるための足先押え２を矩形板状に形成するとともに、足先押え２の左右側下部に左右一対の中空箱型状の脚体3,4を間隔をあけて取付けている。
【００１１】
これにより、腹筋用足掛具１は、左右の脚体3,4の間に使用者の両足の足先を伸ばした状態で収容する足先収容部５を形成している。足先押え２の前端縁下部には、足先収容部５に収容した足先の甲に当接するクッション６を取付けている。
【００１２】
各脚体3(4)は、左右一対の側板7,8(9,10)の下端内側間に底板11(12)を取付けるとともに、側板7,8(9,10)と底板11(12)の前端部に前板13(14)を取付けて、足先収容部５の後部に開口15(16)を形成している。
【００１３】
これにより、各脚体3(4)は、内部（中空部）に開口15(16)から錘17(18)を出し入れ可能に収容できる錘収容部19(20)を形成している。錘17(18)は、使用時に使用者の足先を押えるのに必要な重量があればよく、専用の錘に限られず、水などを入れた容器でもよく、ダンベルや石や土嚢などを利用してもよい。なお、各錘収容部19(20)は、後部に開口15(16)を形成しており、前部を前板13(14)で塞いでいるために、腹筋運動時に各錘収容部19(20)から不意に錘17(18)が飛び出して使用者の身体に衝突してしまうのを防止している。
【００１４】
腹筋用足掛具１は、以上に説明したように構成しており、腹筋運動を行う際に、後部の開口15,16から錘17,18を錘収容部19,20に挿入して設置され、足先収容部５に両足の足先を挿入して使用される。
【００１５】
この腹筋用足掛具１は、足先を押える足先押え２に左右一対の脚体3,4を設け、脚体3,4に錘17,18を出し入れ可能に収容する錘収容部19,20を形成した構成となっている。
【００１６】
そのため、上記構成の腹筋用足掛具１では、錘収容部19,20から錘17,18を外した軽量な状態で持ち運ぶことができ、家庭内の様々な場所で気軽に腹筋運動を行うことができる。
【００１７】
なお、本考案に係る腹筋用足掛具１は、足先押え２に取付けた左右一対の脚体3,4に錘17,18を出し入れ可能に収容する錘収容部19,20を形成した構成であればよく、商品化において形状やサイズや材質などは限定されずに適宜選択される。また、腹筋用足掛具１は、足先押え２に昇降することで踏み台昇降運動を行うための踏み台としても利用することができる。
【符号の説明】
【００１８】
１  腹筋用足掛具                  ２  足先押え
3,4  脚体                         ５  足先収容部
６  クッション                    7,8,9,10  側板
11,12  底板                       13,14  前板
15,16  開口                       17,18  錘
19,20  錘収容部
【図１】
0003175192.tif 000003
(57)【要約】      （修正有）【課題】入浴中に、浴槽のふたを完全に閉じることができる様にして、あいた部分から熱や湯気が逃げることなく、からだの一部分が外気にふれる事もなく、湯気を利用してサウナのようにあたたまり易くした浴槽のふたを提供する。【解決手段】入浴中に頭部だけが露出できかつ密閉構造で湯気が外に逃げない構造の浴槽ふたであって、平板状硬性体からなる浴槽ふた１全体のうち頭部が露出できる部分だけ薄手軟質状合成樹脂性シート２とし、頭部が軟質状の物質を突き抜けるための切れ目３を入れて浴槽ふたとする。【選択図】図１
0003175138.tif 000002
【実用新案登録請求の範囲】
【請求項１】
入浴中に頭部だけが露出できかつ密閉構造で湯気が外に逃げない構造のふたの形状
【考案の詳細な説明】
【技術分野】
【０００１】  本考案は、浴槽のふたを閉じても頭部だけ出して入浴できるようにした浴槽のふたに関するものである。
【背景技術】
【０００２】  浴槽のふたは、入浴中使用せず、入浴しないときの湯気・温度管理や転落防止に使用するものであった。
【考案の概要】
【考案が解決しようとする課題】
【０００３】  入浴中は、浴槽のふたを完全に閉じることができないので、あいた部分から熱や湯気が逃げるだけでなく、からだの一部分が外気にふれてあたたまりにくい。また、入浴中にお湯の温度もさがるので、追いだきや熱い湯をたす必要が生じ、効率的に湯気を利用してサウナのような状態にできなかった。
【課題を解決するための手段】
【０００４】  本考案は、これらの欠点を除くために考案されたもので、入浴中にふたを完全に閉めた状態で頭部部分だけを露出できように改良したものである。
【考案の効果】
【０００６】  頭部から下のからだは、ほぼ密閉状態で入浴できるので、風呂の温度や湯気が外に逃げず、いままでより体が早く温まる。また、湯気が逃げないので、自宅の浴槽で簡単にサウナ状態を作ることができ、発汗作用が増大する。
【考案を実施するための形態】
【０００７】  ふた全体のうち頭部部分だけを容易に露出できるように専用の開口部を作り、かつすきまから湯気がもれないように多様な首の体型にフィットする素材や形状で作ることで可能となる。
【産業上の利用可能性】  浴槽のふたを製造している業種やプラスチック加工業種にのアイテムとして利用できる。
0003175138.tif 000003
【手続補正書】
【提出日】平成24年2月1日(2012.2.1)
【手続補正１】
【補正対象書類名】実用新案登録請求の範囲
【補正対象項目名】全文
【補正方法】変更
【補正の内容】
【実用新案登録請求の範囲】
【請求項１】
入浴中に頭部だけが露出できかつ密閉構造で湯気が外に逃げない構造の浴槽ふたであって浴槽ふた全体のうち頭部が露出できる部分だけ薄手軟質状合成樹脂性シートで頭部が軟質上の物質を突き抜けるための裂け目を入れた構造の浴槽ふた。
【手続補正２】
【補正対象書類名】明細書
【補正対象項目名】全文
【補正方法】変更
【補正の内容】
【考案の詳細な説明】
【技術分野】
【技術分野】
【０００１】  本考案は、浴槽のふたを閉じても頭部だけ出して入浴できるようにした浴槽のふたに関するものである。
【背景技術】
【０００２】  浴槽のふたは、入浴中使用せず、入浴しないときの湯気・温度管理や転落防止に使用するものであった。
【考案の概要】
【考案が解決しようとする課題】
【０００３】  入浴中は、浴槽のふたを完全に閉じることができないので、あいた部分から熱や湯気が逃げるだけでなく、からだの一部分が外気にふれてあたたまりにくい。また、入浴中にお湯の温度もさがるので、追いだきや熱い湯をたす必要が生じ、効率的に湯気を利用してサウナのような状態にできなかった。
【課題を解決するための手段】
【０００４】  本考案は、これらの欠点を除くために考案されたもので、入浴中にふたを完全に閉めた状態で頭部部分だけを露出できように改良したものである。
【考案の効果】
【０００６】  頭部から下のからだは、ほぼ密閉状態で入浴できるので、風呂の温度や湯気が外に逃げず、いままでより体が早く温まる。また、湯気が逃げないので、自宅の浴槽で簡単にサウナ状態を作ることができ、発汗作用が増大する。
【考案を実施するための形態】
【０００７】  ふた全体のうち頭部部分だけを容易に露出できるように専用の開口部を作り、かつすきまから湯気がもれないように多様な首の体型にフィットする素材や形状で作ることで可能となる。
【図面の簡単な説明】
【０００８】
【図１】本発明の浴槽ふたの一実施形態を示す平面図である。
【産業上の利用分野】
浴槽のふたを製造している業種やプラスチック加工業種にのアイテムとして利用できる。
【手続補正３】
【補正対象書類名】図面
【補正対象項目名】全図
【補正方法】追加
【補正の内容】
【図１】
0003175138.tif 000004
(57)【要約】      （修正有）【課題】太陽光発電の一番弱点である曇天、雨天の減衰する発電能力を効率最大時まで引き上げて終日むらなく持続電力を得るソーラー発電システムを提供する。【解決手段】毎日に於いて太陽電池の発電に最も条件の良い晴天時には余剰電力を蓄電池へ充分に蓄え、日陰、雨天時に即、逆に放電を開始する、このサイクル効果によって発電は最高の条件でインバ−タ−に送電することになる。尚蓄電池に充分容量があれば夜間にも発電機能が働く。【選択図】図５
0003175133.tif 000002
【実用新案登録請求の範囲】
【請求項１】
太陽電池で発電した直流電力を一旦蓄電設備に備蓄するための蓄電池。
【請求項２】
請求項１の蓄電池は、太陽電池を直列方式で投入す高圧蓄電池（２００Ｖ前後）と並列接続の低圧蓄電池（２４Ｖ前後）の発電規模に応じた容量の蓄電池。
【考案の詳細な説明】
【技術分野】
【０００１】本考案は一連のソ−ラ−発電システムをより効率的にするために追加組合せを施したものである。
【背景技術】
【０００２】実在する太陽光発電システムは  太陽の光エネルギ−を電気エネルギ−（直流）に変換し、その直流出力をインバ−タ−で交流に変換して商用電力に連係するものである。
【考案の概要】
【考案が解決しようとする課題】
【０００３】太陽電池は太陽の光を受けて初めて発電するもので曇天や雨天時には極度に能力は低下する、それ故日没には機構上運転は停止する仕組みになっており現状では２４時間の内、実効運転は約１０時間に過ぎず実に高価な割には効率が悪いものである。
【課題を解決するための手段】
【０００４】上記課題を解決するため本考案は、太陽電池が発電した直流電力を一旦蓄電池に蓄え、その備蓄した電力をインバ−タ−入力端子へ投入する仕組みである、蓄電池をインバ−タ−容量より余力あるものを設備して置けば曇天、雨天に関係なく安定した電力を全天候、晴天の状態で確保することができる、尚バッテリ−の備蓄電力の続く限り夜間でも、非常時、停電時でもその機能は発揮する。
【考案の効果】
【０００５】太陽電池パネルは外気熱により発電効率が変化する、最適の温度は２５度Ｃと言うが真夏の晴天日には表面温度が７０度Ｃにも達し能力は激減し又極度の低温でも影響する、本考案は太陽電池から流れてくる電流を蓄電池に溜めながらインバ−タ−に投入するため不安定な天候でも関係なく安定した電流を作り出すことができる。【０００６】現在業務用に余剰電力を蓄電して有効利用する設備は既に稼働しているようであるが、この方式は一旦交流電力を作り出した後、莫大な設備で備蓄変換するものである、ここに提案する方式は交流を作る前の段階に組み合わせるもので一般家庭に適用可能で低経費で設置できる。
【図面の簡単な説明】
【０００７】
【図１】本考案に係る太陽光発電の構成図である。
【図２】１図に本考案を追加組み合わせた構成図である。
【図３】本考案の備蓄用蓄電池でリチュ−ム系電池を直列に積層して高圧電圧を得る備蓄電池である。
【図４】３図と同じ蓄電池で並列で構成された太陽電池を投入備蓄するための低圧バッテリ−である。
【図５】本考案のバッテリ−に直列方式（高電圧）で投入した図面である。
【図６】本考案のバッテリ−に並列方式（低電圧）で投入する図面である。
【符号の説明】
【０００８】［図２］１  太陽電池モジュ−ルである。
［図２］２  本考案備蓄用蓄電池である。
［図２］３  交流変換用インバ−タ−である。
［図２］４  分電盤である。
［図３］１  リチュ−ム系（高電圧２００Ｖ内外）積層蓄電池である。
［図３］２  入力正電圧側逆電流阻止ダイオ−ドである。
［図３］３  入力負電圧側である。
［図３］４  出力正電圧でインバ−タ−に接続する。
［図３］５  出力負電圧でインバ−タ−に入る。
［図３］１０  インバ−タ−入力端子を示す。
［図４］６  低圧（２４Ｖ内外）備蓄バッテリ−である。
［図４］７  入力側を示す。
［図４］８  出力側の電力を取り出しインバ−タ−入力端子に接続する。
［図４］９  インバ−タ−入力端子を示す。
［図５］太陽電池より本考案の蓄電池を組合せたインバ−タ−迄の系統図であり直列、各回路高圧で備蓄する。
［図６］回路は並列で低圧の蓄電池である。
【図１】
0003175133.tif 000003
【図２】
0003175133.tif 000004
【図３】
0003175133.tif 000005
【図４】
0003175133.tif 000006
【図５】
0003175133.tif 000007
【図６】
0003175133.tif 000008
【手続補正書】
【提出日】平成23年11月14日(2011.11.14)
【手続補正１】
【補正対象書類名】実用新案登録請求の範囲
【補正対象項目名】全文
【補正方法】変更
【補正の内容】
【実用新案登録請求の範囲】
【請求項１】
太陽光モジュ−ルが発電する能力は、その構成されている素材の成分とパネルの枚数により異なるが、概ね１系統を直列に接続した合計が１５０〜２４０Ｖにしてインバ−タ−に投入している、本考案はインバ−タ−に投入前に一旦蓄電池に溜めながらインバ−タ−に流している、蓄電池の素材と構成は昨今開発されているリチュ−ムリン酸鉄系セル１．２Ｖを直列に積層することにより１５０〜２４０Ｖの容量を持つバッテリ−は容易に作ることができる、需要家のソ−ラ−設備は規模によりインバ−タ−の容量も異なるのでその設備に応じて蓄電池は設定する。
【請求項２】
蓄電池と組合せの原理は請求項１と同じであるが数社あるメ−カ−によってパネルの接続方法が異なり、直列と並列方式があるため蓄電池にも高圧と低圧を準備する必要がある。
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
太陽光モジュールと蓄電池を接続し、その発電された電力を接続されたインバーターに投入することを特徴とするソーラー発電システム。
【請求項２】
前記蓄電池はリチュームリンサ酸系セル１．２Ｖを直列に積層した１５０〜２４０Ｖの容量をもつことを特徴とする請求項１記載のソーラー発電システム。